(57)【要約】【課題】用紙の表面及び裏面にそれぞれ印刷される２つの画像データが所定の印刷位置から外れ、選択した２つの画像データが意図しない印刷位置に設定又は印刷されることを防ぐ。【解決手段】片面に画像が印刷されている原稿と、両面に画像が印刷されている原稿とを混在して読み込み、白紙の画像データの削除や選択した２つの画像データの並べ替えを行った場合に、選択した２つの画像データのうち用紙の裏面に印刷される画像データのみを並べ替えできるように画像表示部１２１の動作を制御する。【選択図】図３
2011199754.tif 000002
【特許請求の範囲】
【請求項１】
複数の画像データと前記画像データの印刷位置が記録されたテーブルとを記憶する記憶部を備え、前記複数の画像データを編集する文書編集装置であって、
新たな画像データの印刷位置を順次前記テーブルに書き込む書き込み部と、
前記複数の画像データを表示する表示部と、
前記複数の画像データの中から両面印刷する２つの画像データが選択されたか否かを判断する選択判断部と、
２つの画像データが選択されたと判断された場合、前記テーブルに基づき選択された画像データの印刷位置を参照して選択された前記画像データの印刷位置の成否を判定する判定部と、
前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることを特徴とする文書編集装置。
【請求項２】
読み込まれた用紙の画像データが２つ連続する白紙データである場合、前記読み込まれた白紙データを削除することを特徴とする請求項１に記載の文書編集装置。
【請求項３】
片面に印刷された用紙と両面に印刷された用紙とを同時に読み込み、複数の画像データを生成する画像読取部を備え、前記画像データの中からユーザーにより選択された画像データを印刷する画像形成装置であって、
前記複数の画像データを編集する文書編集装置を備え、
前記文書編集装置は、
前記複数の画像データと前記画像データの印刷位置が記録されたテーブルとを記憶する記憶部と、
新たな画像データの印刷位置を順次前記テーブルに書き込む書き込み部と、
前記複数の画像データを表示する表示部と、
前記複数の画像データの中から両面印刷する２つの画像データが選択されたか否かを判断する選択判断部と、
２つの画像データが選択されたと判断された場合、前記テーブルに基づき選択された画像データの印刷位置を参照して選択された前記画像データの印刷位置の成否を判定する判定部と、
前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることを特徴とする画像形成装置。
【請求項４】
複数の画像データと前記画像データの印刷位置が記録されたテーブルとを記憶する記憶部と、前記複数の画像データを表示する表示部とを備え、前記画像データを編集する文書編集装置を用いる文書編集方法であって、
新たな画像データの印刷位置を順次前記テーブルに書き込む書き込みステップと、
前記複数の画像データを表示する表示ステップと、
前記複数の画像データの中から両面印刷する２つの画像データが選択されたか否かを判断する選択判断ステップと、
２つの画像データが選択されたと判断された場合、前記テーブルに基づき選択された画像データの印刷位置を参照して選択された前記画像データの印刷位置の成否を判定する判定ステップと、
前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御ステップとを備えることを特徴とする文書編集方法。
【請求項５】
読み込まれた用紙の画像データが２つ連続する白紙データである場合、前記読み込まれた白紙データを削除する削除ステップを備えることを特徴とする請求項４に記載の文書編集方法。
【請求項６】
請求項４又は５に記載の前記文書編集方法を実行することを特徴とするプログラム。
【発明の詳細な説明】
【技術分野】
【０００１】
本発明は、読み込まれた画像データを用紙に印刷する際に画像データの編集を行う文書編集置及びそれを用いた文書編集方法に関する。
【背景技術】
【０００２】
従来、原稿の画像を読み取るスキャナを備え、読み取った画像を画像データのファイルとして記憶装置に記憶し、画像データを印刷するデジタル複合機が知られている。事前に用紙の片面のみに印刷を行うのか、両面に印刷を行うのかを予め設定し、目的に合った印刷を行うことが可能になっている。
【０００３】
また、一般の画像形成装置では、ディスプレー等の表示部で表示された複数の画像データの中から所望する画像データをユーザーが選択し印刷を行うことできるように構成されている。
【０００４】
近年、ユーザーの利便性を高めるための印刷設定を備える画像形成装置が提案されている。特許文献１では、片面に印刷された原稿と、両面に印刷された原稿とを混在して複数の原稿の画像を読み取って画像データを生成し、生成した画像データを記憶し、ユーザーの指示に基づき画像データの並べ替えやページの削除・追加等の種々の編集作業を行う画像ファイリング装置が提案されている。
【０００５】
また、特許文献２では、複数ページにわたる文書の画像を取込みシステム内で複数のデジタルデータに変換し、文字認識、参照番号、ページの連続性、欠落したページ挿入、ユーザーが指定したページ削除、及びページの順番の並べ替え等の編集を行う画像形成装置が提案されている。
【０００６】
また、特許文献３では、片面に印刷された原稿と、両面に印刷された原稿とを混在して原稿の画像を読み込み、画像データを生成し、予め設定した印刷モードに則して画像データを用紙の片面又は両面に選択的に印刷する画像形成装置が提案されている。
【先行技術文献】
【特許文献】
【０００７】
【特許文献１】特開平０９−７３５３０号公報
【特許文献２】特開２０００−１９９１４６号公報
【特許文献３】特開平０５−３３３６４２号公報
【発明の概要】
【発明が解決しようとする課題】
【０００８】
通常、片面に画像が印刷されている原稿と、両面に画像が印刷されている原稿とを混在して読み込み、画像データを生成し、生成された複数の画像データをプレビュー画面（印刷前の画像データの一覧表示）でディスプレー等の表示部に表示する。ユーザーは、所望する画像データをプレビュー画面で選択する。
【０００９】
しかしながら、ユーザーが、不要な白紙の画像データの削除を行った場合や、用紙の表面及び裏面にそれぞれ印刷される２つの画像データの並べ替えを行った場合に、用紙の表面及び裏面にそれぞれ印刷される２つの画像データが所定の印刷位置から外れ、選択した２つの画像データが用紙の表裏反対に印刷（又は設定）されてしまうことがある。このミスプリントが起こる前に、印刷を行う前に選択した２つ画像データを所望する印刷位置にて両面印刷されるように画像データの並べ替えを改めて行う必要があり、その結果、印刷する際に手間が増え、印刷効率が低下するという課題があった。
【００１０】
本発明は、上述のごとき実情に鑑みてなれたもので、片面に画像が印刷されている原稿と、両面に画像が印刷されている原稿とを混在して読み込み、白紙の画像データの削除や選択した２つの画像データの並べ替えを行った場合に、用紙の表面及び裏面にそれぞれ印刷される２つの画像データが所定の印刷位置から外れ、選択した２つの画像データが意図しない印刷位置に印刷されてしまうことを防ぐため、選択した２つの画像データのうち用紙の裏面に印刷される画像データのみを並べ替えできるように画像表示部の動作を制御する文書編集装置を提供することを目的とするものである。
【課題を解決するための手段】
【００１１】
上述した課題を解決するために本発明に係る文書編集装置の各構成は、次の通りである。
【００１２】
本発明の文書編集装置は、複数の画像データと前記画像データの印刷位置が記録されたテーブルとを記憶する記憶部を備え、前記複数の画像データを編集する文書編集装置であって、新たな画像データの印刷位置を順次前記テーブルに書き込む書き込み部と、前記複数の画像データを表示する表示部と、前記複数の画像データの中から両面印刷する２つの画像データが選択されたか否かを判断する選択判断部と、２つの画像データが選択されたと判断された場合、前記テーブルに基づき選択された画像データの印刷位置を参照して選択された前記画像データの印刷位置の成否を判定する判定部と、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることを特徴とするものである。
【００１３】
本発明の文書編集装置は、読み込まれた用紙の画像データが２つ連続する白紙データである場合、前記読み込まれた白紙データを削除することを特徴とするものである。
【００１４】
本発明の画像形成装置は、片面に印刷された用紙と両面に印刷された用紙とを同時に読み込み、複数の画像データを生成する画像読取部を備え、前記画像データの中からユーザーにより選択された画像データを印刷する画像形成装置であって、前記複数の画像データを編集する文書編集装置を備え、前記文書編集装置は、前記複数の画像データと前記画像データの印刷位置が記録されたテーブルとを記憶する記憶部と、新たな画像データの印刷位置を順次前記テーブルに書き込む書き込み部と、前記複数の画像データを表示する表示部と、前記複数の画像データの中から両面印刷する２つの画像データが選択されたか否かを判断する選択判断部と、２つの画像データが選択されたと判断された場合、前記テーブルに基づき選択された画像データの印刷位置を参照して選択された前記画像データの印刷位置の成否を判定する判定部と、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることを特徴とするものである。
【００１５】
本発明の文書編集装置を用いる文書編集方法は、複数の画像データと前記画像データの印刷位置が記録されたテーブルとを記憶する記憶部と、前記複数の画像データを表示する表示部とを備え、前記画像データを編集する文書編集装置を用いる文書編集方法であって、
新たな画像データの印刷位置を順次前記テーブルに書き込む書き込みステップと、前記複数の画像データを表示する表示ステップと、前記複数の画像データの中から両面印刷する２つの画像データが選択されたか否かを判断する選択判断ステップと２つの画像データが選択されたと判断された場合、前記テーブルに基づき選択された画像データの印刷位置を参照して選択された前記画像データの印刷位置の成否を判定する判定ステップと、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御ステップとを備えることを特徴とするものである。
【００１６】
本発明の文書編集装置を用いる文書編集方法は、読み込まれた用紙の画像データが２つ連続する白紙データである場合、前記読み込まれた白紙データを削除する削除ステップを備えることを特徴とするものである。
【００１７】
本発明のプログラムは、前記文書編集方法を実行することを特徴とするものである。
【発明の効果】
【００１８】
本発明によれば、文書編集装置は、複数の画像データと前記画像データの印刷位置が記録されたテーブルとを記憶する記憶部を備え、前記複数の画像データを編集する文書編集装置であって、新たな画像データの印刷位置を順次前記テーブルに書き込む書き込み部と、前記複数の画像データを表示する表示部と、前記複数の画像データの中から両面印刷する２つの画像データが選択されたか否かを判断する選択判断部と、２つの画像データが選択されたと判断された場合、前記テーブルに基づき選択された画像データの印刷位置を参照して選択された前記画像データの印刷位置の成否を判定する判定部と、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることで、選択された画像データがユーザーの意図しない印刷位置に印刷されることを防ぐことができ、印刷作業の効率を向上することができるという優れた効果を奏し得る。
【００１９】
本発明によれば、文書編集装置は、読み込まれた用紙の画像データが２つ連続する白紙データである場合、前記読み込まれた白紙データを削除することで、印刷する画像データを選択し並べ替えたことで生じた白紙の画像データを容易に削除でき、不要な白紙の画像データに基づき印刷が行われることがなくなることで用紙が浪費されることを未然に防ぐことができるという優れた効果を奏し得る。
【００２０】
本発明によれば、画像形成装置は、片面に印刷された用紙と両面に印刷された用紙とを同時に読み込み、複数の画像データを生成する画像読取部を備え、前記画像データの中からユーザーにより選択された画像データを印刷する画像形成装置であって、前記複数の画像データを編集する文書編集装置を備え、前記文書編集装置は、前記複数の画像データと前記画像データの印刷位置が記録されたテーブルとを記憶する記憶部と、新たな画像データの印刷位置を順次前記テーブルに書き込む書き込み部と、前記複数の画像データを表示する表示部と、前記複数の画像データの中から両面印刷する２つの画像データが選択されたか否かを判断する選択判断部と、２つの画像データが選択されたと判断された場合、前記テーブルに基づき選択された画像データの印刷位置を参照して選択された前記画像データの印刷位置の成否を判定する判定部と、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御部とを備えることで、選択された画像データがユーザーの意図しない印刷位置に印刷されることを防ぐことができ、印刷作業の効率を向上することができるという優れた効果を奏し得る。
【００２１】
本発明によれば、文書編集方法は、複数の画像データと前記画像データの印刷位置が記録されたテーブルとを記憶する記憶部と、前記複数の画像データを表示する表示部とを備え、前記画像データを編集する文書編集装置を用いる文書編集方法であって、
新たな画像データの印刷位置を順次前記テーブルに書き込む書き込みステップと、前記複数の画像データを表示する表示ステップと、前記複数の画像データの中から両面印刷する２つの画像データが選択されたか否かを判断する選択判断ステップと２つの画像データが選択されたと判断された場合、前記テーブルに基づき選択された画像データの印刷位置を参照して選択された前記画像データの印刷位置の成否を判定する判定ステップと、前記選択された２つの画像データのうち前記表示部上左側の画像データが１枚の用紙の裏面に印刷され、前記表示部上右側の画像データが表面に印刷される場合に、前記判定部の判定に基づき、前記裏面に印刷される前記画像データのみを前記表示部で移動可能とするように前記表示部の動作を制御する制御ステップとを備えることで、選択された画像データがユーザーの意図しない印刷位置に印刷されることを防ぐことができるため印刷作業の効率を向上することができるという優れた効果を奏し得る。
【００２２】
本発明によれば、文書編集方法は、読み込まれた用紙の画像データが２つ連続する白紙データである場合、前記読み込まれた白紙データを削除する削除ステップを備えることで、印刷する画像データを選択し並べ替えたことで生じた白紙の画像データを容易に削除でき、不要な白紙の画像データに基づき印刷が行われることがなくなることで用紙が浪費されることを未然に防ぐことができるという優れた効果を奏し得る。
【００２３】
本発明によれば、プログラムは、前記文書編集方法を実行することで、選択された画像データがユーザーの意図しない印刷位置に印刷されることを防ぐことができ、印刷作業の効率を向上することができるという優れた効果を奏し得る。
【図面の簡単な説明】
【００２４】
【図１】本発明の実施形態に係る文書編修装置を備える画像形成装置の構成を示す概略図である。
【図２】本実施形態に係る文書編集装置を備える画像形成装置の構成を示すブロック図である。
【図３】本実施形態に係る文書編集装置の構成を示すブロック図である。
【図４】本実施形態に係る文書編集装置の画像表示部を示す一例である。
【図５】本実施形態に係る文書編集装置において、画像データが選択された際のページ構成テーブルの構成を示す一例である。
【図６】本実施形態に係る文書編集装置において、画像データを移動した際のページ構成テーブルの構成を示す一例である。
【図７】（ａ）は、本実施形態に係る文書編集装置の画像表示部に表示された複数の画像データの一例である。（ｂ）は、本実施形態に係る文書編集装置の画像表示部に表示された画像データの中から選択されたペア画像データを示す一例である。
【図８】（ａ）は、本実施形態に係る文書編集装置の画像表示部に表示された画像データのうち、左画像データの並べ替えを行った場合の一例である。（ｂ）は、本実施形態に係る文書編集装置の画像表示部に表示された画像データのうち、右画像データの並べ替えを行った場合の一例である。
【図９】（ａ）は、本実施形態に係る文書編集装置の画像表示部に表示された画像データのうち、左画像データの並べ替えを行い、白紙の画像データが２つ連続する場合の一例である。（ｂ）は、本実施形態に係る文書編集装置の画像表示部に表示された画像データのうち、左画像データの並べ替えを行い、連続する２つの白紙の画像データを削除した場合の一例である。
【図１０】（ａ）は、本実施形態に係る文書編集装置を備える画像形成装置に接続された外部記憶媒体から読み込まれた画像データを画像表示部に表示した場合の一例である。（ｂ）は、本実施形態に係る文書編集装置を備える画像形成装置に接続された外部記憶媒体から読み込まれた画像データの並べ替えを画像表示部で行った場合の一例である。
【図１１】本実施形態に係る画像表示部に表示される第１のウィンドウを示す一例である。
【図１２】本実施形態に係る画像表示部に表示される第２のウィンドウを示す一例である。
【図１３】本実施形態に係る文書編集装置を備える画像形成装置における第１の印刷処理フローの前判の処理を表すフローチャートである。
【図１４】本実施形態に係る文書編集装置における第１の印刷処理フローの後半の処理を表すフローチャートである。
【図１５】本実施形態に係る文書編集装置を備える画像形成装置における第２の印刷処理フローの前半の処理を表すフローチャートである。
【図１６】本実施形態に係る文書編集装置を備える画像形成装置における第２の印刷処理フローの中盤の処理を表すフローチャートである。
【図１７】本実施形態に係る文書編集装置を備える画像形成装置における第２の処理フローの後半の処理を表すフローチャートである。
【図１８】本実施形態に係る画像形成装置に接続された外部記憶媒体から読み込まれた画像データを印刷する際の印刷処理フローの前半の処理を表すフローチャートである。
【図１９】本実施形態に係る画像形成装置に接続された外部記憶媒体から読み込まれた画像データを印刷する際の印刷処理フローの後半の処理を表すフローチャートである。
【発明を実施するための形態】
【００２５】
次に、本実施形態に係る画像形成装置１を説明する。図１は、本実施形態に係る画像形成装置１の構成を示す概略図である。
【００２６】
画像形成装置１は、図１に示すように、画像形成部２、スキャナ３、自動原稿搬送部４、後処理部５、記録材供給部６、中継搬送ユニット８、両面搬送部１０及び文書編集部１２（図示せず）を備える。画像形成部２及び後処理部５は、記録材供給部６の上面に並んで配置されている。さらに画像形成部２及び後処理部５の上部に、スキャナ３及び自動原稿搬送部４が配置されている。
【００２７】
スキャナ３は、自動原稿搬送部４より自動的に供給されるシート状の原稿を１枚ずつ順次、露光走査して原稿の画像を読み取る自動読み取りモードと、ユーザーのマニュアル操作によりセットされるブック状の原稿、または自動原稿搬送部４による自動供給が不可能なシート状の原稿の画像を読み取る手動読み取りモードとを備えている。また、透明な原稿載置台３０上にセットされた原稿の画像を、相互に所定の速度関係で原稿載置台３０に沿って移動する第１走査ユニット３１で露光走査して、ミラー３２や結像レンズ３３等の光学部品で導いて、受光面における受光量に応じた信号を出力する光電変換素子３４上に結像させることで、原稿の画像を電気的信号に変換した上で出力するものである。
【００２８】
自動原稿搬送部４は、読み取る原稿を設置するための原稿セットトレイ４０上に載置された原稿の裏面を走査するコンタクト・イメージ・センサー・ユニット４３（ＣＩＳユニット）および原稿の表面を走査する第１走査ユニット３１を経由して走査後の原稿を原稿排出トレイ４２上に排出する原稿搬送手段４１を備えている。また、自動供給が不可能なシート状の原稿を原稿載置台３０上に載置して読み取り走査可能なように、自動原稿搬送部４が画像形成装置１の後方側を支点にして上方に回動し、画像形成装置１の手前側が開放するように構成されている。
【００２９】
中継搬送ユニット８は、画像形成部２に設けられた第１の排紙トレイ２９の上部に装着され、排出される画像データが記録された記録材（用紙）を、画像形成部２の下流側に位置する後処理部５に向かって導入するための搬送ユニットである。
【００３０】
また、この中継搬送ユニット８の記録材搬送経路８４の途中で、用紙を該ユニットの上面８２と後処理部５の上面５４とで形成された排出トレイ９に導く別の記録材搬送経路８３が分岐している。２つの排出先は、搬送路の分岐部に配置されたゲート８１の切換により、変更可能になっている。
【００３１】
画像形成部２は、スキャナ３にて読み込まれ、生成された画像データの記録及び出力を行う。また、パーソナルコンピュータ等の外部機器（図示せず）が接続されると、該外部機器に記憶されている画像データが印刷の対象として取込まれ、画像形成部２に記憶される。
【００３２】
画像形成部２の略中央左側には、感光体（感光体ドラム）２００を中心とした電子写真プロセス部２０が配置されている。感光体２００の周囲には、感光体２００表面を均一に帯電させる帯電ローラ２０１、均一に帯電された感光体２００上に光像を走査して静電潜像を書き込む光走査ユニット２２、光走査ユニット２２により書き込まれた静電潜像を現像剤により再現する現像ユニット３０２、感光体２００上に再現された画像データを記録材上に転写する転写ユニット２０３、転写後の感光体２００上に残留した現像剤を除去して感光体２００上に新たな画像データを記録することを可能にするクリーニングユニット３０６、及び感光体２００表面の電荷を除去する除電ランプユニット（図示せず）などが配置されている。
【００３３】
画像形成部２の下部、すなわち記録材供給部６側には、記録材（用紙）を収容可能な記録材収容部２１が配置されている。この記録材収容部２１は、記録材を収容する記録材収容トレイ２１０と、記録材収容トレイ２１０に収容された記録材を１枚ずつ分離給紙する分離供給手段２１１とで構成されている。この分離供給手段２１１にて１枚ずつ分離給紙された記録材は、電子写真プロセス部２０の感光体２００と転写ユニット２０３との間に順次供給され、感光体２００上に再現されたトナーによる画像（画像データ）が転写される。なお、記録材収容部２１への記録材の補給や記録材の交換などの作業は、画像形成部２本体の正面側に記録材収容トレイ２１０を引き出して行う。
【００３４】
画像形成部２本体の下面には、選択的に配置されている記録材供給部６から送られてくる記録材（用紙）を受け入れ、電子写真プロセス部２０の感光体２００と転写ユニット２０３との間に向かって順次供給するための記録材受口２７が設けられている。
【００３５】
電子写真プロセス部２０の上方には定着装置２３が配置されており、画像データが転写された記録材（用紙）を順次受け入れて、記録材上に転写された現像剤を加熱定着して定着装置２３外へと記録材を送り出す。画像が記録された記録材は、画像形成部２の排出ローラ２８から画像形成部２本体の上面の中継搬送ユニット８に受け渡される。このように画像形成部２の用紙搬送パス（記録材搬送路）６４は、下から上に向かって略縦型に構成されている。
【００３６】
電子写真プロセス部２０の側方、つまり電子写真プロセス部２０に対して用紙搬送パス６４と略直行する方向に隣接する位置には、光走査ユニット２２が配置されている。そして、光走査ユニット２２の上下空間部には、電子写真プロセスをコントロールするプロセス・コントロール・ユニット（ＰＣＵ）基板と、装置外部からの画像データを受け入れるインターフェイス基板とを収容する装置制御部２４、インターフェイス基板から受け入れられた画像データに対して所定の画像処理を施し、光走査ユニット２２により感光体２００上に画像として走査記録させるためのイメージ・コントロール・ユニット（ＩＣＵ）基板を備えた画像制御部２５、そして、これら各種基板、ならびにユニットに対して電力を供給する電源ユニット２６などが配置されている。
【００３７】
図１では、記録材供給部６が３つの供給ユニット６１・６２・６３を有する場合を例示しているが、これに限らず記録材供給部６は少なくとも１つの供給ユニットを有しておればよい。
【００３８】
また、画像形成装置内部の温度や湿度を調整するため、ヒータ（発熱体）３００が画像形成部２と記録材供給部６との間に設けられている。
【００３９】
画像形成部２の側面に両面搬送部１０が装着されている。両面搬送部１０は、記録材の両面に画像を形成する際に記録材（用紙）を反転させるための搬送装置である。記録材を反転させる際には、排紙ローラ２８が記録材を途中まで排出させた状態で停止し、逆転することにより記録材を両面搬送部１０側へ導く。この際、該記録材は、定着装置２３の後に設けられたゲート８５の切換により、定着装置２３側へ戻らずに両面搬送部１０に進入する。両面搬送部１０を通過した記録材は、電子写真プロセス部２０の手前から再度用紙搬送パス６４に入って電子写真プロセス部２０等を通過することで裏面に画像が形成される。
【００４０】
記録材供給部６は、オプションにて付設された外付けの記録材供給部であって、３つの供給ユニット６１・６２・６３を有している。供給ユニット６１・６２・６３では、記録材収容トレイ６１０・６２０・６３０に収容した記録材（用紙）を、各々に備えられた分離給送手段６１１・６２１・６３１によってそれぞれ１枚ずつ分離して、この記録材供給部６の上面に設けられ、画像形成部２の記録材受口２７に連通している記録材排出口６５に向かって供給する。稼働時には、所望とするサイズの記録材（用紙）を収容した供給ユニット６１・６２・６３が選択的に動作する。供給ユニット６１・６２・６３への記録材の補給は、該ユニット本体の正面側に記録材収容トレイ６１０・６２０・６３０を引出すことで行われる。
【００４１】
また、記録材供給部６は、上部に画像形成部２と後処理部５を載置するように構成されているが、この状態で移動してシステムラック７の間に固定して配置可能なように、下部に移動コロ６９及び固定部６８を備えている。移動時には、固定部６８を回転させて上昇させておくことで固定部６８を床面から離間させ、固定時には、固定部６８を回転させて下降させることで固定部６８を床面に接触させて記録材供給部６を固定する。
【００４２】
後処理部５は、画像形成部２、中継搬送ユニット８から排出される用紙をこの後処理部５の上部に設けられた搬入ローラ５１で導き入れて、画像データが記録された用紙に対して後処理を施すものである。
後処理としては、ステープル処理、用紙に対して穴開け処理を行うパンチング処理、用紙を仕分けするソート処理等あるが、図１に例示している後処理部５は、画像データが形成された用紙を束ねてステープルで綴じるステープル処理を行う。後処理された用紙は下段の第３の排紙トレイ５９に、後処理されない用紙は上段の第２の排紙トレイ５６に排出される。尚、切り換えゲート５２により選択的に用紙の搬送方法を切り換える。
【００４３】
ＦＡＸユニット７００は、ファクシミリ機能の制御を行い、スキャナ３で読み取られた原稿の画像の画像データを相手先に発信し、着信したファクシミリデータを記録材（用紙）に描画するデータに変換する。図１では、第３の排紙トレイ５９の近辺に配置されている。ＦＡＸユニット７００は、回線にハード的に接続するための通信ユニット（図示せず）及び電話回線を用いたファクシミリ通信を制御するモデム（図示せず）を有している。
【００４４】
図２は、実施形態に係る文書編集部１２を備える画像形成装置１の構成を示す概略図である。画像形成装置１のメイン制御部１１は、図２に示すように、画像形成部２、スキャナ３、自動原稿搬送部４、後処理部５、記録材供給部６、中継搬送ユニット８、両面搬送部１０、文書編集部１２（文書編集装置）を制御し、各構成要素間の動作を統括している。
【００４５】
次に、本実施形態に係る画像形成装置の文書編集部１２（文書編集装置）を説明する。文書編集部１２は、図３に示すように、書き込み部１３、画像表示部１２１、選択判断部１５及び判定部１６を備えている。
【００４６】
書き込み部１３は、スキャナ３や外部記憶媒体から読み込まれた画像に基づき生成された画像データを順次、画像データの印刷位置が記録されているページ構成テーブル１１２に書き込む。尚、ページ構成テーブル１１２の詳細は後述する。
【００４７】
画像表示部１２１は、読み込まれた画像に基づき生成された複数の画像データを一覧表示する。ユーザーは、画像表示部１２１に表示された画像データを直接タッチすることで画像データの並べ替え、選択、移動等の操作ができる。
【００４８】
選択判断部１５は、画像表示部１２１に表示された複数の画像データの中から両面印刷する２つの画像データが選択されたか否かを判断する。
【００４９】
判定部１６は、２つの画像データが選択されたと判断された場合、記憶部１４に記憶されたページ構成テーブル１１２に基づいて、選択された画像データの印刷位置を参照し選択された該画像データの印刷位置の成否を判定する。
【００５０】
次に、文書編集部１２の画像表示部１２１に表示される印刷画像データ選択画面を説明する。
【００５１】
画像表示部１２１は、図４に示すように、スキャナ３にて生成された複数の画像データを一覧表示する（以下、印刷画像データ選択画面と称す）。画像表示部１２１は、タッチパネル式を使用して画像データの表示、選択、移動及び並べ替え等の操作を行うことができる。画像表示部１２１は、スキャナ３や外部記憶媒体から読み込んだ画像データや画像形成装置１の動作に関わる様々な状態を表示する。尚、画像データが多数存在する場合、画像表示部１２１をスクロールして全画像データが表示できるような構成を取っている。
【００５２】
図４に示すように、原稿の画像をスキャナにより読み込み、読み込まれた画像に基づいて生成された画像データは、画像表示部１２１に左側から読み込み順で表示される。画像表示部１２１上の画像データ１２３の上部に示された印刷位置（印刷位置情報）１２６である。印刷位置１２６は、両面印刷を行うために、原稿の画像が読み込まれ生成された画像データそれぞれに割り当てられる印刷される位置（用紙の表面（Ｆ）又は裏面（Ｂ））を表している。
【００５３】
読み込まれた画像データ１２３の下部に示されたページ数１２７は、図４に示すように、読み込んだ複数の原稿を表面から裏面へと両面を読み込んだ際、生成された画像データに割り当てられる固有の数値（ページ数）として表示される。
【００５４】
ユーザーは、画像表示部１２１に一覧表示された画像データ１２３の中から印刷する画像データを直接タッチして選択する。両面印刷の場合は、用紙の表面と裏面とに印刷するため、２つの画像データ（ペア画像データ）を選択する。
【００５５】
画像データが選択された場合、選択された画像データ１２３は、画像表示部１２１上で明るくマーキング表示される。図４では、画像データ１２８、１２９が選択され、マーキング表示されている。また、選択した画像データの選択を取り消す場合には、画像表示部１２１上のマーキング表示された画像データをユーザーによりタッチされると選択が解除される。
【００５６】
図４に示すように、一覧表示された画像データ１２３のうち２つの画像データが選択され両面印刷が行われる場合、画像表示部１２１上に選択された２つの画像データ（ペア画像データ）が表示される。本実施形態に係る画像表示部１２１において、ペア画像データのうち左側に位置する画像データ（画像データ１２８）は印刷される用紙の裏面に印刷され、ペア画像データのうち右側に位置する画像データ（画像データ１２９）は用紙の表面に印刷される構成を取っている。
【００５７】
本実施形態では、印刷画像データ選択画面で選択した２つの画像データ（ペア画像データ）において、左側の画像データ（左画像データ）のページ数は、右側の画像データ（右画像データ）のページ数より小さくなるように設定されている。左画像データは必ず用紙の裏面に印刷され、右画像データは用紙の表面に印刷されるような構成を取っている。
【００５８】
メイン制御部１１は、印刷画像データ選択画面で選択された２つの画像データのページ数を比較することで、所定の設定（ペア画像データのうち左画像データが裏面に印刷され、右画像データが表面に印刷される印刷設定、又は画像を読み込んだ順に従って定めたページ数に従って印刷される印刷設定）に従って印刷されるか否かを判定することができる。
【００５９】
また、画像表示部１２１は、印刷画像データ選択画面において両面印刷と片面印刷を切り換えるための印刷切替ボタン１３１が表示されている。図４に示すように、画像表示部１２１に表示される印刷画像データ選択画面上の印刷切替ボタン１３１をユーザーがタッチすることで片面・両面印刷の切り替えが行われる。
【００６０】
記憶部１４は、スキャナ３にて生成された複数の画像データや外部記憶媒体から取り込まれた画像データの情報を表にしたページ構成テーブル１１２に記憶する。
【００６１】
ページ構成テーブル１１２は、図５に示すように、ページ数１２７、印刷位置（印刷位置情報）１２６、有効画像データ２０２、ペア画像選択２０４等の画像データに関する情報を備える画像データ管理ファイルである。有効画像データ２０２は、原稿を読み込んだ際の画像データの有無（Ｙ／Ｎ）を表す。例えば、原稿の片面にのみ画像が印刷され、もう一方の面には画像が存在しない（白紙である）原稿の両面を読み込み、画像データを生成した場合、実質的な画像データが存在する面は、画像データが存在することを示す“有（Ｙ）”と表示される。また、白紙のため有効な画像データが存在しない面は、画像データが存在しないことを示す“無（Ｎ）”として表示する。
【００６２】
また、ユーザーにより印刷画像データ選択画面で選択された２つの画像データをペア画像データとした場合、ペア画像データの左側の画像データを左画像データ（Ｌ）２０５とし、ペア画像データの右側の画像データを右画像データ（Ｒ）２０６として、ページ構成テーブル１１２上に表示される。ページ構成テーブル１１２は、図５に示すように、ペア画像データを構成する右画像データ（Ｒ）と左画像データ（Ｌ）は、選択されていることを示すためマーキング表示で明るく描写されている。
【００６３】
また、図６に示すように、ユーザーにより画像データが移動（選択した画像データをドラッグ）された場合、画像データの移動はページ構成テーブル１１２において反映される。図５のペア画像データの左画像データ（Ｌ）２０５が移動し、図６では、画像データの左画像データ（Ｌ）２０７で表わされている。メイン制御部１１は、ページ構成テーブル１１２を参照してユーザーが選択した２つの画像データの印刷位置が適切か否かを判断する。
【００６４】
印刷位置（印刷位置情報）１２６は、上記で述べたように、原稿が読み込まれた際に設定された、画像データの印刷位置を表す。同時に、印刷位置１２６は、２つの画像データを選択し両面印刷する場合、該画像データの印刷位置（用紙の表面（Ｆ）又は裏面（Ｂ））を表す。これは、原稿の両面を読み込む際に、画像の有無に拘わらず自動的に読み込みが行われた面に対して印刷位置が割り当てられるためである。つまり、ユーザーは、両面印刷する２つの画像データを選択する際に、それぞれ生成された画像データに割り当てられた印刷位置を変更する場合が生じる。
【００６５】
次に、ユーザーが２つの画像データを選択し、読み込み時に割り当てられた印刷位置を変更して１枚の用紙に両面印刷を行う際に、選択した画像データの印刷位置の適否を、図７〜図９を参照して説明する。
【００６６】
図７（ａ）に示すように、複数の原稿がスキャナで読み込まれ後、生成された複数の画像データは、画像表示部１２１に表示される。生成された画像データ１２３は、読み込まれた順に画像表示部１２１に表示される。画像データの上部には、印刷位置（印刷位置情報）１２７が示されている。また画像データの下部には、ページ数１２７がそれぞれの画像データ１２３に対応して表示される。
【００６７】
図７（ｂ）に示すように、印刷する画像データとして５ページの画像データ１２３と７ページの画像データ１２３をペア画像データとして選択する場合、ユーザーは、画像表示部１２１に示す画像データ１２３を直接タッチして選択する。画像表示部１２１上でペア画像データのうち左側に表示されている５ページの画像データ１２３は、左画像データＬ１となる。一方、画像表示部１２１上でペア画像データのうち右側に表示されている７ページの画像データ１２３は、右画像データＲ１となる。
【００６８】
図７（ｂ）に示すように、ペア画像データを構成する５ページの右画像データＲ１と７ページの左画像データＬ１は、選択されていることを示すためマーキング表示により明るく描写されている。
【００６９】
５ページの右画像データＲ１と７ページの左画像データＬ１は、原稿が読み込まれた際に印刷位置（印刷位置情報）として、それぞれに表面（Ｆ）が割り当てられている。このままでは１枚の用紙に両面印刷できないため、選択した画像データを並べ替えて印刷位置を変更する必要がある。
【００７０】
図７（ｂ）では、６ページの白紙の画像データＷ１の印刷位置（印刷位置情報）は、裏面（Ｂ）が割り当てられている。ペア画像データの左側の画像データである５ページの左画像データＬ１には、表面（Ｆ）の印刷位置が割り当てられている。そこで、ユーザーは、画像表示部１２１上の５ページの左画像データＬ１をドラッグして６ページの白紙の画像データＷ１と並べ替えて印刷位置の変更を行う。
【００７１】
図８（ａ）では、図７（ｂ）のペア画像データを選択した状態から、左画像データＬ１をドラッグして左画像データＬ１と白紙の画像データＷ１の並べ替えが行われた状態を示している。並べ替えによって、左画像データＬ１には裏面（Ｂ）の印刷位置が割り当てられ、白紙の画像データＷ１には表面（Ｆ）の印刷位置が割り当てられている。
【００７２】
メイン制御部１１は、所定の印刷設定に適合するか否かを判断し、印刷の設定が適合する場合、両面印刷処理を行う。尚、本実施形態において、所定の設定とは、ペア画像データのうち左画像データが１枚の用紙の裏面に印刷され、右画像データが該用紙の表面に印刷される設定である。
【００７３】
図８（ａ）において、ペア画像データにおいて、左画像データＬ１には裏面（Ｂ）が割り当てられ、右画像データＲ１には表面（Ｆ）が割り当てられ、所定の設定に適合する。制御部１１は、正常に両面印刷できると判定し、印刷処理を行う。
【００７４】
一方、図８（ｂ）では、図７（ｂ）のペア画像データを選択した状態から、右画像データＲ１をドラッグして右画像データＲ１と白紙の画像データＷ１の並べ替えが行われた状態を示している。並べ替えによって、右画像データＲ１には裏面（Ｂ）の印刷位置が割り当てられ、白紙の画像データＷ１には表面（Ｆ）の印刷位置が割り当てられている。
【００７５】
図８（ｂ）において、ペア画像データ（右画像データＲ１と左画像データＬ１）において、右画像データＲ１には裏面（Ｂ）が割り当てられ、左画像データＬ１には表面（Ｆ）が割り当てられているため、所定の設定に適合しない。制御部１１は、所定の印刷設定に合わないと判定し、印刷処理を行わない。
【００７６】
上記に記したように、ペア画像データのうち右画像データをドラッグして並べ替えを行うと、所定の設定に適合しない。そこで、本実施形態に係る制御部１１は、選択したペア画像データのうち右画像データのドラッグ（移動）を禁止し、左画像データのみをドラッグできるように画像表示部１２１の動作を制限する。
【００７７】
このように、ペア画像データのうち裏面に印刷される左画像データのみを画像表示部１２１で移動（ドラッグ）可能とするように画像表示部１２１の動作を制限（制御）することで、選択された画像データがユーザーの意図しない印刷位置に印刷されることを防ぐことができ、印刷作業の効率を向上することができる。
【００７８】
また、所定の設定に適合しない場合、制御部１１は、図１１に示すように、ユーザーに再度、画像データの並べ替えを行って所定の印刷設定に適合させるように警告する第１のウィンドウＷ１０１を画像表示部１２１に表示する。第１のウィンドウＷ１０１は、該ウィンドウを閉じるためのＯＫボタンＢ１０１と、印刷をキャンセルするためのキャンセルボタンＢ１０２が表示される。
【００７９】
図９（ａ）において、図７（ｂ）のペア画像データを選択した状態から、左画像データＬ１をドラッグして、左画像データＬ１と白紙の画像データＷ２の並べ替えが行われた状態を示している。並べ替えによって、左画像データＬ１には裏面（Ｂ）の印刷位置が割り当てられ、白紙の画像データＷ１には表面（Ｆ）の印刷位置が割り当てられている。
【００８０】
図９（ａ）において、ペア画像データ（４ページの左画像データＬ１と７ページの右画像データＲ１）において、４ページの左画像データＬ１には裏面（Ｂ）が割り当てられ、７ページの右画像データＲ１には表面（Ｆ）が割り当てられるため、所定の設定に適合する。制御部１１は、正常に両面印刷できると判定し、印刷処理を行う。
【００８１】
図９（ａ）において、選択されたペア画像データは、所定の印刷設定に適合するが、左画像データＬ１と右画像データＲ１が画像表示部上離れて表示されているため、ユーザーは、ペア画像データを認識し難い。そこで、制御部１１は、画像表示部１２１に表示された印刷画像データ選択画面上で白紙の画像データが２つ連続する場合、連続する白紙の画像データの削除を行う。
【００８２】
図９（ａ）において、ページ５及び６の白紙の画像データＷ１、Ｗ２が２つ連続して表示している。このため、制御部１１が、図９（ｂ）に示すように、白紙の画像データＷ１、Ｗ２の削除を行い、残りの画像データの配列を詰めて画像表示部１２１に表示する。また削除した結果は、ページ構成テーブル１１２に反映され、該当する画像データの削除及び配列詰めが行われる。
【００８３】
同様に、図８（ａ）において、ページ４及び５の白紙の画像データＷ１、Ｗ２が２つ連続するため、白紙の画像データＷ１、Ｗ２の削除が行われる。尚、白紙の画像データの削除を行う前に、事前にユーザーに対して削除を行っても良いか否かを問うウィンドウを画像表示部１２１に表示する構成としても良い。
【００８４】
図１０（ａ）は、画像形成装置１に接続した外部記憶媒体（図示せず）から読み込まれた画像データを一覧表示した画像表示部１２１の一例を表わしている。複数の画像データを予め記憶した外部記憶媒体を画像形成装置１の外部記憶媒体インターフェイス（図示せず）に接続して、画像データが読み込まれる。
【００８５】
外部記憶媒体から読み込まれた画像データ１２３は、読み込まれた順に画像表示部１２１に一覧表示され、各画像データ毎に印刷位置（印刷位置情報）１２６が割り当てられる。印刷位置１２６は、１枚の用紙に両面印刷する際の画像データ１２３の印刷位置（用紙の表面（Ｆ）・裏面（Ｂ））を表す。尚、読み込まれた画像データは実質的なデータ（有効画像データ）が存在するため、有効な画像データが存在することを示す“有（Ｙ）”が画像データ１２３に表示されている。
【００８６】
ユーザーは、読み込まれた画像データ１２３の中から２つの画像データを選択してペア画像データを設定する。ペア画像データに対する印刷設定が適合であると制御部１１により判定された場合、選択された２つの画像データ（ペア画像データ）は、１枚の用紙に両面印刷される。尚、ペア画像データのうち左側の画像データ（左画像データＬ３）は用紙の裏面に印刷され、右側の画像データ（右画像データＲ３）は表面に印刷されるような構成が取られている。
【００８７】
２つの画像データが選択されてペア画像データが設定される際に、制御部１１は、ペア画像データのうち左画像データＬ３のみを画像表示部１２１上ドラッグ（移動）することができるように画像表示部１２１の動作を制御する。
【００８８】
図１０（ｂ）では、図１０（ａ）のペア画像データ（３ページの左画像データＬ３と７ページの右画像データＲ３）を選択した状態から、左画像データＬ３をドラッグして左画像データＬ３と画像データＫ１の並べ替えが行われた状態を示している。並べ替えによって、左画像データＬ３には裏面（Ｂ）の印刷位置が割り当てられ、画像データＫ１には表面（Ｆ）の印刷位置が割り当てられている。
【００８９】
図１０（ｂ）において、ペア画像データにおいて、左画像データＬ３には裏面（Ｂ）が割り当てられ、右画像データＲ３には表面（Ｆ）が割り当てられるため、所定の設定に適合する。制御部１１は、正常に両面印刷できると判定し印刷処理を行う。
【００９０】
また、他の所定の設定として、例えば、読み込み順に画像データに固有のページ数を割り当てて、ペア画像データのうち先に読み込まれた画像データが用紙の裏面（Ｂ）に印刷されるとしても良い。ペア画像データが選択された場合、制御部１１は、左画像データＬ１のページ数と右画像データのページ数とを比較して、条件判断を行うことで印刷処理の判定を行う。
【００９１】
このように、ペア画像データのうち裏面（Ｂ）に印刷される左画像データのみを画像表示部１２１で移動可能とするように画像表示部１２１の動作を制限することで、選択された画像データがユーザーの意図しない印刷位置に印刷される等の印刷不良を防ぐことができ、印刷作業の効率を向上することができる。
【００９２】
次に、本実施形態に係る文書編集部（文書編集装置）１２を用いた文書編集方法を、図１３〜１９を参照しながら以下に説明する。
【００９３】
図１３及び図１４は、本実施形態に係る画像形成装置１を用いた第１の印刷処理フローを表わすフローチャートである。図１３は、第１の印刷処理フローの前半の処理を表わすフローチャートである。図１４は、第１の印刷処理フローの後半の処理を表わすフローチャートである。
【００９４】
まず、画像形成装置１のスキャナ３において、複数枚数の原稿の画像が読み込まれる（ステップ１０）。読み込んだ画像に基づき画像データが生成され、各画像データの情報はページ構成テーブル１１２に順次書き込まれる（ステップ２０）。
【００９５】
制御部１１は、スキャナ３のセンサ（図示せず）によりすべての原稿の画像が読み込まれたか否かを判定する（ステップ３０）。すべての原稿の画像が読み込まれたと判定された場合（ステップ３０、Ｙ）、読み込んだ順に生成されたすべての画像データを画像表示部１２１に表示する（ステップ４０）。
【００９６】
すべての原稿の画像が読み込まれていないと判定された場合（ステップ３０、Ｎ）、原稿の画像を読み込み続ける。
【００９７】
すべての画像データが画像表示部１２１に表示された後、制御部１１は、両面印刷が設定されているか否かを判定する（ステップ５０）。
【００９８】
両面印刷が設定されていない場合（ステップ５０、Ｎ）、図１２に示すように、両面印刷を行うか否かを問う第２のウィンドウＷ１０２が画像表示部１２１に表示される（ステップ６０）。
【００９９】
両面印刷を行う場合（ステップ７０、Ｙ）、画像表示部１２１上に表示された印刷設定ボタン１３１がユーザーによりタッチされると片面印刷設定から両面印刷設定に切り替わり、両面印刷設定が完了する（ステップ８０）。
【０１００】
両面印刷を行わない場合（ステップ７０、Ｎ）、ページ構成テーブル１１２に基づき印刷処理を行う（ステップ９０）。
【０１０１】
両面印刷が設定されている場合（ステップ５０、Ｙ）、印刷する画像データが２つ選択されたか否か判定する（ステップ９５）。２つの画像データ（ペア画像データ）が選択されている場合（ステップ９５、Ｙ）、選択された２つの画像データ（ペア画像データ）をマーキング表示する（ステップ１００）。図１３のステップ５０は、ジャンプＪ１を介して、図１４のステップ９５に進む。
【０１０２】
制御部１１は、ページ構成テーブル１１２に基づき左画像データの印刷位置（印刷位置情報）を参照する（ステップ１１０）。
【０１０３】
制御部１１は、選択された左画像データが１枚の用紙の裏面（Ｂ）に印刷するように設定されているか否かを判定する（ステップ１２０）。
【０１０４】
選択された左画像データが１枚の用紙の裏面（Ｂ）に印刷するように設定されている場合（ステップ１２０、Ｙ）、ページ構成テーブル１１２に基づき選択された２つの画像データ（ペア画像データ）を印刷処理する（ステップ１５０）。
【０１０５】
選択された左画像データが１枚の用紙の裏面（Ｂ）に印刷するように設定されていない場合（ステップ１２０、Ｎ）、制御部１１は、選択された左画像データを裏面（Ｂ）に印刷されるよう選択された左画像データの移動（ドラッグ）を促す第１のウィンドウＷ１０１を、図１１に示すように、画像表示部１２１に表示する（ステップ１３０）。このとき、制御部１１は、画像表示部１２１で右画像データをドラッグできないよう右画像データを制御する。
【０１０６】
所定の時間の経過後、制御部１１は、選択された左画像データが裏面（Ｂ）に印刷されるようにユーザーによって画像表示部１２１にて左画像データの移動（ドラッグ）が行われたか否かを判定する（ステップ１４０）。
【０１０７】
制御部１１が、選択された左画像データの移動が所定の設定に適合して行われたと判定した場合（ステップ１４０、Ｙ）、ページ構成テーブル１１２に基づき選択された２つの画像データ（ペア画像データ）を印刷処理する（ステップ１５０）。
【０１０８】
一方、制御部１１が、選択された左画像データの移動が所定の設定に適合していないと判定した場合（ステップ１４０、Ｎ）、図１１に示すように、再度、選択された左画像データが裏面（Ｂ）に印刷されるように左画像データの移動（ドラッグ）を促す第１のウィンドウＷ１０１を画像表示部１２１に表示する（ステップ１３０）。
【０１０９】
図１５〜図１７は、本実施形態に係る文書編集部を備える画像形成装置１を用いた第２の印刷処理フローを表わすフローチャートである。図１５は、第２の印刷処理フローの前半の処理を表わすフローチャートである。図１６は、第２の印刷処理フローの中盤の処理を表わすフローチャートである。図１７は、第２の印刷処理フローの後半の処理を表わすフローチャートである。
【０１１０】
図１５及び図１６に示すステップ５００〜６３０は、図１３及び図１４のステップ１０〜１４０と同じであるため、説明を省略する。本実施形態に係る画像形成装置１を用いた第２の印刷処理フローの特徴は、ステップ６３１〜６８０に在る。以下に、第２の印刷処理フローの特徴を説明する。
【０１１１】
図１６のステップ６１０に示すように、制御部１１が、左画像データが１枚の用紙の裏面（Ｂ）に印刷されるように印刷位置が設定されていると判定した場合、左画像データのページ数と右画像データのページ数を比較し（ステップ６３１）、条件判断を行う。
【０１１２】
左画像データのページ数が右画像データのページ数より大きい場合、制御部１１は、左画像データのページ数が右画像データのページ数より小さくなるように、左画像データの移動（ドラッグ）を促すウィンドウ（図示せず）画像表示部１２１に表示する（ステップ６３２）このとき、制御部１１は、画像表示部１２１で右画像データをドラッグできないよう右画像データを制御する。
【０１１３】
画像データのページ数が右画像データのページ数より小さくなるように、左画像データの移動（ドラッグ）が完了したかを判定する（ステップ６３３）。
【０１１４】
続いて、制御部１１は、白紙の画像データがあるか否かを判定する（ステップ６４０）。白紙の画像データがあると判定した場合（ステップ６４０、Ｙ）、さらに、制御部１１は、白紙の画像データが２ページ連続して存在するか否かを判定する（ステップ６５０）。
【０１１５】
白紙の画像データが２ページ連続して存在すると判定した場合（ステップ６７０、Ｙ）、ページ構成テープル１１２から該当する連続する２ページの白紙の画像データを削除し、同時に、画像表示部１２１に表示されていた連続する白紙の画像データを削除する（ステップ６６０）。
【０１１６】
次に、ページ構成テーブル１１２及び画像表示部１２１で存在する画像データを詰めて表示する（ステップ６７０）。
【０１１７】
一方、白紙の画像データが存在しない場合（ステップ６４０、Ｎ）及び連続した白紙の画像データが存在しない場合（ステップ６５０、Ｎ）、ページ構成テーブル１１２に基づき印刷処理を行う（ステップ６８０）。
【０１１８】
図１８〜図１９は、本実施形態に係る文書編集部１２を用いた第３の印刷処理フローを表わすフローチャートである。第３の印刷処理フローで印刷される画像データは、外部記憶媒体（図示せず）に記憶されている画像データを画像形成装置１に取込み印刷処理を行う。
【０１１９】
図１８は、第３の印刷処理フローの前半の処理を表わすフローチャートである。図１９は、第３の印刷処理フローの後半の処理を表わすフローチャートである。
【０１２０】
まず、画像形成装置１の外部機器インターフェイス（図示せず）と画像データが記憶された外部記憶媒体とを接続し、画像データを読み込む（ステップ７００）。読み込んだ画像データに基づき、各画像データの情報はページ構成テーブル１１２に順次書き込まれる（ステップ７１０）。
【０１２１】
制御部１１は、外部記憶媒体からすべての画像データが読み込まれたか否かを判定する（ステップ７２０）。すべての画像データが読み込まれたと判定された場合（ステップ７２０、Ｙ）、図１０（ａ）に示すように、すべての画像データを読み込んだ順に画像表示部１２１に表示する（ステップ７３０）。
【０１２２】
すべての画像データが読み込まれていないと判定された場合（ステップ７４０、Ｎ）、画像データを読み込み続ける。
【０１２３】
全画像データが画像表示部１２１に表示された後、制御部１１は、両面印刷が設定されているか否かを判定する（ステップ７４０）。
【０１２４】
両面印刷が設定されていない場合（ステップ７４０、Ｎ）、図１２に示すように、両面印刷を行うか否かを問う第２のウィンドウＷ１０２が画像表示部１２１に表示される（ステップ７５０）。
【０１２５】
両面印刷を行う場合（ステップ７６０、Ｙ）、ユーザーにより画像表示部１２１の印刷設定ボタンが押され印刷設定が切り替わる（ステップ７７０）。
【０１２６】
両面印刷を行なわない場合（ステップ７６０、Ｎ）、ページ構成テーブル１１２に基づき印刷処理を行う（ステップ７８０）。
【０１２７】
両面印刷が設定されている場合（ステップ７４０、Ｙ）、印刷する画像データが２つ選択されたか否かを判定する（ステップ７８５）。印刷する２つの画像データ（ペア画像データ）が選択されている場合（ステップ７８５、Ｙ）、２つの画像データ（ペア画像データ）がマーキング表示される（ステップ７９０）。図１８のステップ７４０は、ジャンプＪ５を介して、図１９のステップ７８５に進む。
【０１２８】
制御部１１は、ページ構成テーブル１１２を参照して左画像データの印刷位置（印刷位置情報）を参照する（ステップ８１０）。
【０１２９】
制御部１１は、選択された左画像データが１枚の用紙の裏面（Ｂ）に印刷するように設定されているか否かを判定する（ステップ８１０）。
【０１３０】
選択された左画像データが１枚の用紙の裏面に印刷するように設定されている場合（ステップ８１０、Ｙ）、ページ構成テーブル１１２に基づき選択された２つの画像データ（ペア画像データ）を印刷処理する（ステップ８４０）。
【０１３１】
選択された左画像データが１枚の用紙の裏面（Ｂ）に印刷するように設定されていない場合（ステップ８１０、Ｎ）、制御部１１は、選択された左画像データを裏面（Ｂ）に印刷されるよう選択された左画像データの移動（ドラッグ）を促す第１のウィンドウＷ１０１を画像表示部１２１に表示する（ステップ８２０）。このとき、制御部１１は、画像表示部１２１で右画像データをドラッグできないよう右画像データを制御する。
【０１３２】
所定の時間の経過後、制御部１１は、選択された左画像データが裏面（Ｂ）に印刷されるように画像表示部１２１上でユーザーにより左画像データの移動（ドラッグ）が行われたか否かを判定する（ステップ８３０）。
【０１３３】
制御部１１が、選択された左画像データの移動が所定の設定に適合して行われたと判定した場合（ステップ８３０、Ｙ）、ページ構成テーブル１１２に基づき選択された２つの画像データ（ペア画像データ）を印刷処理する（ステップ８４０）。
【０１３４】
一方、制御部１１が、選択された左画像データの移動が所定の設定に適合していないと判定した場合（ステップ８３０、Ｎ）、図１１に示すように、再度、選択された左画像データが裏面に印刷されるように左画像データの移動（ドラッグ）を促す第１のウィンドウＷ１０１を画像表示部１２１に表示する（ステップ８２０）。
【符号の説明】
【０１３５】
１  画像形成装置
２  画像形成部
３  スキャナ
４  自動原稿搬送部
５  後処理部
６  記録材供給部
８  中継搬送ユニット
１０  両面搬送部
１１  制御部
１２  文書編集部
１３  書き込み部
１４  記憶部
１５  選択判断部
１６  判定部
１２１  画像表示部
【図１】
2011199754.tif 000003
【図２】
2011199754.tif 000004
【図３】
2011199754.tif 000005
【図４】
2011199754.tif 000006
【図５】
2011199754.tif 000007
【図６】
2011199754.tif 000008
【図７】
2011199754.tif 000009
【図８】
2011199754.tif 000010
【図９】
2011199754.tif 000011
【図１０】
2011199754.tif 000012
【図１１】
2011199754.tif 000013
【図１２】
2011199754.tif 000014
【図１３】
2011199754.tif 000015
【図１４】
2011199754.tif 000016
【図１５】
2011199754.tif 000017
【図１６】
2011199754.tif 000018
【図１７】
2011199754.tif 000019
【図１８】
2011199754.tif 000020
【図１９】
2011199754.tif 000021